Podtech/llm-jp-corpus-v4-ja_patent huggingface dataset:
(57)【要約】【課題】  シャフトの伸縮が自在に調整できるゴルフパタ−を提供する。【解決手段】  パタ−ヘッドシャフト１ａの連結逆Ｅ字型状切込溝１ｂをグリップシャフト２ａの固定金具２ｂに沿ってスライドさせ、伸縮をストッパ−３で固定してパタ−ヘッドの方向性を一定に確保する。パタ−ヘッドとグリップの長さを自在伸縮調整の上、ストッパ−で固定することによりシャフトを短尺、中尺、長尺にセットした個性豊かなスタイルを可能にするゴルフパタ−が実現できる。【選択図】図５
0003157802.tif 000002
【実用新案登録請求の範囲】
【請求項１】
パタ−ヘッドシャフト１ａとグリップシャフト２ａの両シャフトで構成され、パタ−ヘッドシャフトの連結逆Ｅ字型状切込溝１ｂをグリップシャフトの固定金具２ｂに沿ってスライドさせパタ−ヘッド１とグリップ２の伸縮を自在に調整固定できるところを特徴とする伸縮ゴルフパタ−。
【考案の詳細な説明】
【技術分野】
【０００１】  本考案は、ゴルフパタ−のシャフトを二本として連結逆Ｅ字型状切込溝によりスライドするゴルフパタ−に関するものである。
【背景技術】
【０００２】  ゴルフパタ−シャフトは画一的な規格である。
【考案の概要】
【考案が解決しようとする課題】
【０００３】  パタ−ヘッドシャフトのスライド伸縮によって前述を解決しようとするものである。
【課題を解決するための手段】
【０００４】  本考案は、パタ−ヘッドシャフトとグリップシャフトの両シャフトで構成されパタ−ヘッドシャフトをグリップシャフト内でスライドさせて、パタ−ヘッドとグリップの伸縮を自在に調整した上でストッパ−により固定させるものである。
【考案の効果】
【０００５】  上記のとおり本考案の伸縮ゴルフパタ−は、グリップシャフトの内にパタ−ヘッドシャフトの連結逆Ｅ字型状切込溝に沿ってスライドさせ、パタ−ヘッドとグリップの長さを自在伸縮調整の上、ストッパ−で固定することによりシャフトを短尺、中尺、長尺にセットした個性豊かなスタイルを可能にするゴルフパタ−が実現できる。
【図面の簡単な説明】
【０００６】
【図１】本考案の移動するスライド式パタ−ヘッドシャフト実施例１を示した側図面である。
【図２】グリップシャフト実施例２を示した側面図である。
【図３】グリップシャフトに装着しているストッパ−固定具実施例３を示した側面図である。
【図４】グリップシャフトのストッパ−固定具の外側部ストッパ−移動キヤップ実施例４を示した断面図である。
【図５】本考案ゴルフパタ−はパタ−ヘッドシャフト、グリップシャフト、ストッパ−固定具、ストッパ−移動キヤップから構成されそれぞれの結合を示した側面図である。
【図６】グリップシャフトの固定金具にパタ−ヘッドシャフトの連結逆Ｅ字型状切込溝が接合固定している図５のＡ−Ａ断面を示した拡大図である。
【図７】パタ−ヘッドシャフトの連結逆Ｅ字型状切込溝を図５のＢ−Ｂ矢視を示した拡大図である。
【図８】パタ−ヘッドシャフトの連結逆Ｅ字型状切込溝を図６のＣ矢視図を示した。
【考案を実施するための形態】
【０００７】  パタ−ヘッドシャフトにグリップ対応の複数段階調整できる連結逆Ｅ字型状切込溝とグリップシャフトに固定金具を設けてパタ−ヘッドシャフトを固定金具に沿って伸縮の上、回転で固定させ更にスライドをストッパ−で固定させる。
【実施例】
【０００８】  以下、添付図面に従い実施例を説明する。１は耐久性のある金属性素材でパタ−ヘッドシャフト１ａに連結逆Ｅ字型状切込溝１ｂを設けたパタ−ヘッド、２は金属性素材のグリップシャフト２ａに固定金具２ｂを設けたクリップ、３はグリップシャフトの先端に装着された円筒形のプラスチック等適宜素材のストッパ−固定具で、その前部は左右対称にＶ字型状切込３ａ、中部にら旋状溝３ｂを設けた本体、４はグリップシャフトのストッパ−固定具を覆うプラスチック等適宜素材のストッパ−移動キヤップで、前部はパタ−ヘッドシャフトがスライドする程度の円筒形から順次太くして、ストッパ−固定具のら旋状溝３ｂに接合する部分にはストッパ−移動キヤップ内側にら旋状溝４ａを設けた本体である。【０００９】  本考案の実施例は前記の構成からなるもので、パタ−ヘッドシャフト本体の連結逆Ｅ字型状切込溝１ｂがグリップシャフト本体の固定金具２ｂに沿って伸縮させ適時の長さによりグリップ２を左回転させると固定金具２ｂは連結逆Ｅ字型状切込溝１ｂに沿って移動しその溝の先端くぼみ溝に固定金具２ｂを固定させた上で、ストッパ−固定具３の外部のストッパ−移動キヤップ４を回転させると接しているグリップシャフトに固定しているストッパ−固定具３のら旋状溝３ｂをストッパ−移動キヤップ４が、ら旋状溝３ｂに沿い移動することによりストッパ−固定具３のＶ字型状切込３ａが圧縮しめられパタ−ヘッドシャフトが強力に固定される。【００１０】  パタ−ヘッド伸縮はストッパ−移動キヤップ４を逆回転して緩めグリップ２の固定金具２ｂに接合している連結逆Ｅ字型状切込溝１ｂのくぼみ溝から戻しグリップ２を右回転して固定金具２ｂの位置を変えてパタ−ヘッドの長さを調整して固定するの繰返しで自適の伸縮ゴルフパタ−となる。
【符号の説明】
【００１１】１  パタ−ヘッド
１ａ  パタ−ヘッドシャフト
１ｂ  連結逆Ｅ字型状切込溝
２  グリップ
２ａ  グリップシャフト
２ｂ  固定金具
３  ストッパ−固定具
３ａ  Ｖ字型状切込
３ｂ  ら旋状溝
４  ストッパ−移動キヤップ
４ａ  ら旋状溝
【図１】
0003157802.tif 000003
【図２】
0003157802.tif 000004
【図３】
0003157802.tif 000005
【図４】
0003157802.tif 000006
【図５】
0003157802.tif 000007
【図６】
0003157802.tif 000008
【図７】
0003157802.tif 000009
【図８】
0003157802.tif 000010
(57)【要約】      （修正有）【課題】紙巻きタバコを箱から取り出して放置しても、吸湿して味が落ちることがない紙巻タバコを提供する。【解決手段】包装用フィルム２は透明であり、タバコ１の吸い口３と紙巻き部分の全周を覆い、更にフィルター端部と紙巻タバコの先端部も覆い、一本一本の紙巻タバコ全体を防湿包装して、喫煙時に吸湿によりタバコの味が落ちることを防止する。さらに、包装用フィルムはフィルムの切り裂きテープ４によって切り裂くことができるように構成する。【選択図】図１
0003157810.tif 000002
【実用新案登録請求の範囲】
【請求項１】
紙巻タバコの全面を包装用フィルムで覆い、更にタバコの長手方向にフィルムの切り裂きテープを設けたことを特徴とする紙巻きタバコ。
【考案の詳細な説明】
【技術分野】
【０００１】
本考案は、タバコを包装フィルムで覆った紙巻きタバコに関するものである。
【背景技術】
【０００２】
従来の紙巻きタバコは箱に詰められており、箱から取り出した後は、直ちに喫煙しないと湿気にさらされることになるという課題があった。        
【考案の概要】
【考案が解決しようとする課題】
【０００３】
一本毎の紙巻きタバコは上述のごとく、防湿手段が施されていないため、長期間放置しておくと湿気のために喫煙時に味が落ちるという問題があった。  
【課題を解決するための手段】
【０００４】
本考案は、紙巻きタバコの全面をフィルムで覆うことを目的とするものである。
【考案の効果】
【０００５】
これにより、一本一本の紙巻きタバコの防湿が可能となり、喫煙時の味の劣化が防止できた。
【図面の簡単な説明】
【０００６】
【図１】本考案の斜視図を示す。
【考案を実施するための形態】
【０００７】
図面に基づいて実施例を説明する。
【実施例１】
【０００８】
図１は本考案である包装フィルムで覆ったタバコ１であり、包装用フィルム２は透明であり、タバコ１の吸い口３と紙巻き部分の全周を覆い、更にフィルター端部と紙巻タバコの先端部も覆う。包装用フィルムはフィルムの切り裂きテープ４によって切り裂くことができる。
【符号の説明】
【０００９】
１    本考案の紙巻きタバコ
２    包装用フィルム
３    吸い口
４    切り裂きテープ
【図１】
0003157810.tif 000003
(57)【要約】      （修正有）【課題】タオルやメッシュのように容易に背中洗いができ、また背中以外の体全体を洗う時は、背中洗いのために取り付けた付属物が邪魔にならないコンパクトな形のままで洗うことができるという体洗い用スポンジを提供する。【解決手段】体洗い用スポンジ内部にゴムバンドを取り付け、体洗い用スポンジ両外側にそのゴムバンドの一部を輪状で露出させる。ゴムバンドの輪は、指が容易に掛けられる位の大きさがスポンジの両外側にはみ出るようにする。【選択図】図１
0003157808.tif 000002
【実用新案登録請求の範囲】
【請求項１】
スポンジの内部にゴムバンドを取り付け、そのゴムバンドの一部をスポンジの両外側に輪状で露出させたことを特徴とする体洗い用スポンジ。
【考案の詳細な説明】
【技術分野】
【０００１】  本考案は背中洗いが容易にでき、また背中以外の体全体を洗う時は、背中洗い用の付属品が邪魔にならずに洗えるという体洗いスポンジに関するものである。
【背景技術】
【０００２】  従来から体洗い用スポンジは、肌触りと泡立ちが良く、体を洗い安いという長所を持ちながら背中洗いが容易にできないため、体洗い用の媒体としては背中洗いが容易にできるタオルやメッシュが一般的なものとなり得ている。一方、近年においては、体を洗い安いという長所を持つスポンジで背中も洗えるように色々な工夫が試みられている。【０００３】  例えば、土台の表面をスポンジで構成し、土台の裏に吸盤を設置したものを壁にくっ付けて、それに背中を擦り合わせて背中を洗うというものが提案されている（特許文献１）。【０００４】  また、孫の手のような緩い曲線の棒の先へスポンジを取り付けて背中を洗うというものが提案されている（特許文献２）。【０００５】
【先行技術文献】
【特許文献】
【特許文献１】特開平１１−２９０２３４号公報
【特許文献２】実用新案登録３１１４７４５号公報
【考案の概要】
【考案が解決しようという課題】
【０００６】  しかしながら、特許文献１記載のスポンジは壁にスポンジを取り付ける手間がいる上に壁に取り付けたスポンジに背中を擦りつけて洗うことは、タオルやメッシュで背中を洗うより困難と思われる。
【０００７】  また、特許文献２記載のスポンジは棒の先にスポンジを取り付ける手間がいり、さらに棒という別の媒体を必要とするため、やはりタオルやメッシュに比べて面倒である。
【０００８】  本考案は、肌触りと泡立ちが良く、体を洗い安いという長所を持つところの媒体であるスポンジで背中も洗え、また背中以外の体全体も心地よく洗えるということを目的としている。
【０００９】  本考案の体洗い用スポンジは、タオルやメッシュと同様に背中も洗え、また背中以外の体全体を洗う時は、スポンジ以外の付属物が邪魔にならず心地よく洗える。
【課題を解決するための手段】
【００１０】  本考案の体洗い用スポンジは、スポンジの内部にパーツを接着固定し、伸ばした状態で背中洗いができる位の長さのゴムバンドをパーツの両側に取り付ける。取り付ける際にはスポンジの両外側にゴムバンドの輪がはみ出るように設定する。はみ出るゴムバンドの輪の大きさに関しては、輪に指が容易に掛けられる位の大きさに設定する。
【考案の効果】
【００１１】  本考案の体洗い用スポンジによれば、スポンジ本体の両外側にはみ出たゴムバンドの輪に指を掛けてゴムバンドを伸ばし、背中にスポンジをあてがって背中を洗うことができ、その際にゴムの反動が背中の洗い安さを促進する。またスポンジ本体からはみ出したゴムバンドの輪は、太いゴムの材質的特性上立ったまま僅かしか萎れないため、背中以外の体全体を洗う時はゴムバンドの輪が邪魔にならない。このことにより、タオルやメッシュのような長ものではなくコンパクトな媒体であるスポンジで背中も体全体も自然な流れの中で心地よく洗うことができるのである。
【考案を実施するための形態】
【００１２】  以下、本考案の体洗い用スポンジをその実施の最良の形態について図面に示す実施例に基づいて具体的に説明する。
【００１３】  図１は本考案の実施例を示すものであり、スポンジ１の中心部にプラスティックまたは硬質ゴム等からなるパーツ２を接着固定し、そのパーツ２の両側にゴムバンド３を取り付ける。図２においてスポンジ１がゴムバンド３を挟んでいるが、ゴムバンド３の伸縮を阻害しないように挟んでいる部分のスポンジ１は接着しない。
【００１４】  以下に説明するが、本考案を実施するにあたり、この説明・手順に限定されるものではない。
【図面の簡単な説明】
【００１５】
【図１】本考案の体洗い用スポンジの平面図である。
【図２】本考案の体洗い用スポンジのスポンジを破断した側面図である。
【図３】本考案の体洗い用スポンジのゴムバンドを伸ばしたところの平面図である。
【符号の説明】
【００１６】１・・・・・・・スポンジ
２・・・・・・・パーツ
３・・・・・・・ゴムバンド
【図１】
0003157808.tif 000003
【図２】
0003157808.tif 000004
【図３】
0003157808.tif 000005
(57)【要約】【課題】自転車の変速ギアにおいて、径の異なる変速ギアを備えた前変速ギアの変速操作に対して後車軸のギアに対してチェーンを一定の張力を維持してチェーンの脱落を防止する。【解決手段】径の異なる変速ギアを備えた自転車前変速ユニット１０と後輪車軸の後変速器１６間を巻回するチェーンット１５に対して、後変速器車軸に固定された固定腕２１、延長腕２２、位置決め腕２３からなる補助フレーム２０を設けて、チェーンを位置決め腕に設けたギア２５を経由して巻回し、位置決め腕を延長腕内に設けたバネによってチェーンに一定の張力を働かせる。【選択図】図４
0003157865.tif 000002
【実用新案登録請求の範囲】
【請求項１】
前変速ユニットと後変速器のギアにチェーンを巻回して、前変速ユニットの径の異なるギアとチェーンとの噛み合いを替えることによって変速操作を行う自転車のギア変速装置において、
後変速器箇所に該チェーンに噛み合うギアを備えた位置決め腕と延長腕を供えた補助フレームを設置し、
該延長腕と位置決め腕の揺動により、チェーンの張力を一定に保つようにしたことを特徴とする自転車前後変速位置決め構造。
【請求項２】
前記補助フレームの延長腕、位置決め腕内にはバネを備えて上記一定の張力のもとに揺動するようにしたことを特徴とする請求項１記載の自転車前後変速位置決め構造。
【考案の詳細な説明】
【技術分野】
【０００１】
本考案は、自転車前後変速位置決め構造に関するもので、特に後変速器によって自転車のチェーンを更に安定させるのに効果を表す。
【背景技術】
【０００２】
公知装置の後変速器変速の自転車構造は、およそ、図１，２，３に示すように、チェーン１５前端に前変速ユニット１０、後端に後変速器１６を設置する。前変速ユニット１０は、異なる直径の第一、二、三変速ギア１１、１２、１３を備え、後変速器１６外端には連動ギア１７を備えてチェーン１５に噛み合って連結する。チェーンガイド１４を操作してチェーン１５を第一変速ギア１１、もしくは第二、第三変速ギア１２、１３へ動かし、これらのギアの異なる直径に応じて変速する。言い換えると、後変速器１６内には６種の変速があり、前変速ユニット１０の三個の変速ギアによって１８速の変速効果を備える。しかしながら、上記の構成には下記の欠点がある。
【０００３】
図２に示すとおり、前変速ユニット１０には大、中、小の異なる直径の第一、二、三変速ギア１１、１２、１３があるが、そのためチェーン１５に対して異なる直径の変速ギアが来ると、異なる緩みが形成される。つまり、大直径の第一変速ギア１１の時には締まり、小直径の第三変速ギアの時には緩むようになっていて、締まりすぎ、緩みすぎはすべて伝動機能に影響する。
【０００４】
チェーン１５がしっかりと位置決めしていないと、路上が平らでなく振動が大きくなると、チェーンが外れる現象が発生する。
【先行技術文献】
【特許文献】
【０００５】
【特許文献１】特開平３−２１９１５６号公報
【考案の概要】
【考案が解決しようとする課題】
【０００６】
解決しようとする問題点は、ギアの変換によってチェーンが安定して位置決めせず、チェーンが外れてしまう点である。
【課題を解決するための手段】
【０００７】
本考案は、後変速器の先端の車輪軸ユニットに補助フレームを設置し、チェーンは補助フレーム及び後変速器の連動ギアに噛み合って連結する。補助フレームは固定腕、延長腕、ギアを備えた位置決め腕を設置することで、チェーンを緩ませず、一定の張力を保つように角度を変化させ、更にチェーン、ギアの磨耗を減らしてチェーンを安定させることを最も主要な特徴とする。
【考案の効果】
【０００８】
本考案の自転車前後変速位置決め構造は、チェーンと連動ギア間が非常に良好に接し、角度の偏りを発生させず、磨耗を減らし、耐用年数を高めるという利点がある。
【図面の簡単な説明】
【０００９】
【図１】公知の構造図である。
【図２】公知の構造図である。
【図３】公知の後方図である。
【図４】本考案の構造図である。
【図５】本考案の後方図である。
【考案を実施するための形態】
【００１０】
本考案は、上述公知の問題を改善し、後変速器を設置して自転車のチェーンを更に安定させる。後変速器の先端には補助フレームを設置し、チェーンは補助フレーム及び後変速器の連動ギアに噛み合って連結し、補助フレームはチェーンをまっすぐに張る。更に前変速ユニットの異なる直径変速ギアによって、張りの角度を自動的に変化させ、チェーンを適する締め具合に保ち、チェーン、ギアの磨耗を減らし、安定させる。
【実施例】
【００１１】
図４，５に示すとおり、チェーン１５前端は前変速ユニット１０に噛み合って連結し、後端は後変速器１６の連動ギア１７に噛み合って連結する。前変速ユニット１０は、第一、二、三変速ギア１１、１２、１３を備え、また後変速器１６箇所の車輪軸１８には補助フレーム２０を設置する。補助フレーム２０は多関節構造からなり、固定腕２１、延長腕２２、位置決め腕２３を備え、内部にはバネ２４、小ギア２５を備え、チェーン１５は補助フレーム２０内の小ギア２５に噛み合って連結する。
【００１２】
上述の構造は下述の効果を備える。
図４，５に示すとおり、前変速ユニット１０の異なる直径の第一、二、三変速ギア１１、１２、１３が変速すると、補助フレーム２０内のバネ２４が延長腕２２、位置決め腕２３で異なる角度(図４点線参照)に揺動する。言い変えると、補助フレーム２０の延長腕２２、位置決め腕２３が揺動して角度を変えて、チェーン１５の弛み具合の変化に応じて異なる位置にスウィングし、それらはチェーン１５を適する張り具合に維持する。これらは補助フレーム２０のチェーン１５の張り具合を一定に保つ作用によって、チェーン１５を緩めすぎず、良好な安定効果を保つ。位置決め効果が良好であるため、チェーン１５と連動ギア１７間が非常に良好に接し、角度の偏りを発生させず、磨耗を減らし、耐用年数を高める効果を備える。
【００１３】
又，補助フレーム２０がチェーン１５の張りを調節することでチェーンの位置決め効果が高まり、チェーンが外れるのを防止する。
【００１４】
上述のとおり、本考案の構造装置は実用性と効果を高めることから実用新案登録の要項に符合する。
【符号の説明】
【００１５】
１０        前変速ユニット
１１        第一変速ギア
１２        第二変速ギア
１３        第三変速ギア
１４        チェーンガイド
１５        チェーン
１６        後変速器
１７        連動ギア
１８        車輪軸
２０        補助フレーム
２１        固定腕
２２        延長腕
２３        位置決め腕
２４        バネ
２５        小ギア
【図１】
0003157865.tif 000003
【図２】
0003157865.tif 000004
【図３】
0003157865.tif 000005
【図４】
0003157865.tif 000006
【図５】
0003157865.tif 000007
(57)【要約】      （修正有）【課題】使用者の顔面形状に対応させて形状保持部材を変形させ、密着性を向上させた衛生マスクを提供する。【解決手段】通気性を有し使用者の顔面下半部に被せられる被覆部１と、該被覆部１の左右に夫々設けた耳掛け部２を備えた衛生マスクにおいて、前記被覆部１の周縁に沿って可塑性素材で形成した線状の形状保持部材３を設けることによって、使用者の顔面形状に対応させて、形状保持部材３を変形させ、変形後の形状を保持させ、被覆部１の周縁を鼻頭、頬および顎回りに密着させる。【選択図】図１
0003157841.tif 000002
【実用新案登録請求の範囲】
【請求項１】
通気性を有し使用者の顔面下半部に被せられる被覆部と、該被覆部の左右に夫々設けた耳掛け部を備えた衛生マスクにおいて、前記被覆部の周縁に沿って可塑性素材で形成した線状の形状保持部材を設けたことを特徴とする衛生マスク。
【請求項２】
被覆部の中央に可塑性素材で形成した網状の形状保持部材を設けたことを特徴とする請求項１記載の衛生マスク。
【考案の詳細な説明】
【技術分野】
【０００１】
本考案は、顔面との密着性を向上させた衛生マスクに関する。
【背景技術】
【０００２】
従来より、人の健康に害を及ぼす空中浮遊微細物の吸込み防止に、衛生マスクが利用されており、使用者の鼻孔や口元等の顔面下半部に被せる被覆部をガーゼで形成した衛生マスクの他、近時では被覆部を不織布で形成した衛生マスクが主流となりつつある。
これら衛生マスクの中には、顔面と被覆部との密着性を向上させるための工夫が施されたものも多く、例えば次のものが見受けられる。
織布や不織布を用いて作られ、口及び鼻孔を覆うに足る大きさと形状を備えたマスク本体の、所定の縦幅を有する左右の側端辺の夫々に、耳掛紐を取付けたものに於いて、マスク本体の横幅を、マスクの着用状態で、左右の側端辺の夫々が耳の近傍乃至は直近に迄達する長さに設定し、マスクの着用状態で、マスク本体の上縁部を膨出している鼻の表面に密着させる為に、塑性変形性を有する合成樹脂に繊維質材を包埋させた帯板状の形状保持部材を、前記上縁部に取付けた衛生マスク（下記特許文献１を参照）。
【０００３】
鼻部分を含む下側顔面を覆うマスク本体の、少なくとも鼻を横切る上辺部に、体温で軟化して曲げ変形可能となるように調整された形状記憶ポリマーからなる芯材を設けた衛生マスク（下記特許文献２を参照）。
【先行技術文献】
【特許文献】
【０００４】
【特許文献１】登録実用新案第３１００６００号公報（実用新案登録請求の範囲）
【特許文献２】特開平６−３９０５１号公報（特許請求の範囲）
【考案の概要】
【考案が解決しようとする課題】
【０００５】
ところが、上記従来の衛生マスクは、鼻頭に被覆部を密着させることは出来るが、頬や顎回りに隙間が空き、ウイルスなど極微小の浮遊物の対策には不十分であるため、密着性の更なる向上が求められた。
【課題を解決するための手段】
【０００６】
本考案は、通気性を有し使用者の顔面下半部に被せられる被覆部と、該被覆部の左右に夫々設けた耳掛け部を備えた衛生マスクにおいて、前記被覆部の周縁に沿って可塑性素材で形成した線状の形状保持部材を設けることによって、使用者の顔面形状に対応させて、形状保持部材を変形させ、変形後の形状を保持させ、被覆部の周縁を鼻頭、頬および顎回りに密着させる様にして、上記課題を解決する。
【考案の効果】
【０００７】
要するに本考案は、通気性を有し使用者の顔面下半部に被せられる被覆部と、該被覆部の左右に夫々設けた耳掛け部を備えた衛生マスクにおいて、前記被覆部の周縁に沿って可塑性素材で形成した線状の形状保持部材を設けたので、使用者の顔面形状に対応させて、形状保持部材を変形させ、変形後の形状を保持させることにより、被覆部の周縁を鼻頭、頬および顎回りに密着させて、埃、花粉、バクテリア、ウイルス等の空中浮遊微細物の侵入を防ぐことが出来る。
【０００８】
被覆部の中央に可塑性素材で形成した網状の形状保持部材を設けたので、被覆部全体を所望の形状に整え、装着感、使い心地を向上させると共に、顔面への密着性を更に向上させることが出来る。
又、被覆部中央を口元から浮かせて、呼吸を楽にすることが出来る等その実用的効果甚だ大である。
【図面の簡単な説明】
【０００９】
【図１】本考案に係る衛生マスクの概略背面図である。
【図２】同上衛生マスクの他例を示す概略背面図である。
【考案を実施するための形態】
【００１０】
以下、本考案の衛生マスクにつき詳細に説明する。
本考案の衛生マスクは、図１に示す様に、使用者の顔面下半部（鼻孔および口元等）に被せられる被覆部１と、該被覆部１の左右に夫々設けた耳掛け部２を備えている。
被覆部１は、例えば、ガーゼ、不織布等の従来の衛生マスクと同様の素材で形成され、かかる被覆部１の背面（顔面に対向する側の面）周縁に沿って線状の形状保持部材３が設けらている。
【００１１】
形状保持部材３は、指先で力を加えることで、容易に変形し、変形後の形状をそのまま保持する金属やプラスチック等の可塑性の素材で形成され、上記線状とは、ワイヤー状の他、薄帯板形状であっても良い。
【００１２】
又、図２に示す様に、形状保持部材２を網状とし、被覆部１の中央にも形状保持部材２を設ける様にしても良い。
【００１３】
尚、図１および図２には、被覆部１が矩形シート状のものを示したが、被覆部１の形状は、これに限らず、例えば立体的に形成し嘴形としたものでも良い。
又、被覆部１を表面層と裏面層の多層とし、表面層と裏面層の間に形状保持部材３を設ける様にしても良い。
【符号の説明】
【００１４】
１  被覆部
２  耳掛け部
３  形状保持部材
【図１】
0003157841.tif 000003
【図２】
0003157841.tif 000004
(57)【要約】      （修正有）【課題】室内は勿論、浴槽内においても使用でき、任意の場所にて常に体の各筋肉トレーニングを行えると共に、特に入浴中において使用でき入浴時間を長くすることで新陳代謝を促すことができる運動器具を提供する。【解決手段】合成樹脂、合成ゴム等の柔軟性材料にて形成されると共に、上方向から加圧される中空状器具本体１と、この中空状器具本体に設けられると共に該中空状器具本体の内空部と外部とを連ねる小孔３と、前記中空状器具本体の上下外側面に備えられた滑り止４とで成したことを特徴とする。【選択図】図１
0003157829.tif 000002
【実用新案登録請求の範囲】
【請求項１】
合成樹脂、合成ゴム等の柔軟性材料にて形成されると共に、上方向から
加圧される中空状器具本体と、この中空状器具本体に設けられると共に該中空状
器具本体の内空と外部とを連ねる小孔と、前記中空状器具本体の上下外側面に備
えられた滑り止部とで成したことを特徴とした運動器具。
【請求項２】
前記中空状器具本体は、上下に亘って伸縮する蛇腹状に形成したことを
特徴とした請求項１記載の運動器具。
【考案の詳細な説明】
【技術分野】
【０００１】
本考案は、室内床面は勿論、浴槽内等の水中でも筋肉トレーニングができる運動器具に関する。
【背景技術】
【０００２】
近年健康に関してはあらゆるトレーニング方法が試みられているが、各個人が日々の生活の中で経済的、環境的にできる範囲は限られる中で選択されているのが入浴時間を長くすることで新陳代謝を促すという方法である。
【０００３】
入浴時間を長くすることにより、一日の生活で必要な仕事を除いて、運動に割ける
時間が少なくなるか、若しくは無くなってしまうことにより筋力が低下してしまう。
【０００４】
入浴と運動を毎日の生活に取り入れようとすると運動するための準備や運動後の洗濯など、後の始末を考えると時間的、精神的負担も増えるため持続が困難であった。
【０００５】
そこで下記文面には特許文献1が存在するが、浴槽内で足踏み運動により足の筋肉
を鍛えることは可能であるが、他の各筋肉を鍛えるといった配慮が施されていない。
【先行技術文献】
【特許文献】
【０００６】
【特許文献１】特開２００９−７８１０９号公報
【考案の概要】
【考案が解決しようとする課題】
【０００７】
上記特許文献１の運動器具は足踏み運動にのみ特化したもので、足の筋肉を鍛えることはできても他の各筋肉を鍛えるには両端にあるサンダル部と吸盤があるため困難でることの課題を解決する。
【課題を解決するための手段】
【０００８】
本考案は、合成樹脂、合成ゴム等の柔軟性材料にて形成されると共に、上方向から加圧される中空状器具本体と、この中空状器具本体に設けられると共に該中空状器具本体の内空と外部とを連ねる小孔と、前記中空状器具本体の上下外側面に備えられた滑り止部とで成したことを特徴としたものである。
更に本考案は、中空状器具本体は、上下に亘って伸縮する蛇腹状に形成したことを特徴としたものである。
【考案の効果】
【０００９】
請求項1により、室内は勿論、浴槽内においても使用でき、任意の場所にて常に体の各筋肉トレーニングをおこなえる。
特に入浴中において使用できるので入浴時間を長くすることで新陳代謝を促すことができる。
【００１０】
請求項２により、中空状器具本体の伸縮がより一層良好となり、人体への加圧も柔軟性に富み、心地よい刺激を与えることとなる。
【図面の簡単な説明】
【００１１】
【図１】運動器具の正面図
【図２】同上の側面図
【図３】異なる実施例を示す運動器具の正面図
【図４】同上の縦断面図
【図５】使用状態を示す平面図
【図６】同上の異なる使用状態を示す正面図
【図７】同上の使用状態から更に進展した使用状態を示す正面図
【図８】同上の異なる使用状態を示す正面図
【図９】同上の使用状態から更に進展した使用状態を示す正面図
【図１０】同上の異なる使用状態を示す正面図
【考案を実施するための形態】
【００１２】
以下本考案を実施として掲げた図面に基づいて説明すると、図１は運動器具の正面図を示し、上方向Ｐからの加圧し、合成樹脂、合成ゴム等の薄肉の柔軟性材料にて蛇腹状面１ｃに形成した中空状器具本体１としている。
この中空状器具本体１は内空部２と外部Ｇとを連ねる小孔３とで成されており、且つ上下端外面１ａ、１ｂには滑り止４を備えている。
この小孔３の位置として、図１、２は中空状器具本体１の側面に上下に夫々複数個配しており、図３は上端の外面１ａに設けている。
【００１３】
勿論、この小孔３の数は特に限定するものではなく、任意数備えられ、浴槽内での使用時、お湯が出入りし、且つ浴槽外では空気が出入りすることとなる。
又、図５は中空状器具本体１の上端の外面１ａに左右足を載せており、この場合は足先Ｈ１より離れた位置に設けられている。
この滑り止４として、その上下端外面１ａ、１ｂに凹凸を一体に形成しているが、粗面としてもよい。
而して、図１の中空状器具本体１がスムーズに伸縮する様、蛇腹状面１ｃとしてい
るが、図３に示す如く、上下に亘って同一幅の直方体に形成してもよい。
【００１４】
次に本考案運動器具の使用状態を説明すると、図５は中空状器具本体１を左右対に並べ、室内又は浴槽Ｂにて夫々に両足Ｈ１、Ｈ１を載せて上下動して行う。
更に、図６に示す如く、浴槽面Ｂと足Ｈ２とで挟んで図７に示す如く前後動して行っている。
又、図８、図９に示す如く、両手Ｈ３、Ｈ３間では挟んで行うことも一例である。
特に、図１０に示す如く、大腿部Ｈ５と腹部Ｈ６で挟んで行っており、多種多様の使用展開ができる。
【符号の説明】
【００１５】
１    中空状器具本体
１a   中空状器具本体の上面部
１ｂ  中空状器具本体の下面部
１ｃ  中空状器具本体の側面部
２    内空部
３    小孔
４    滑り止
Ｐ    加圧
Ｈ１  足先
Ｈ２  足
Ｈ３  手
Ｈ４  腹部
Ｈ５  大腿部
Ｂ    浴槽壁
【図１】
0003157829.tif 000003
【図２】
0003157829.tif 000004
【図３】
0003157829.tif 000005
【図４】
0003157829.tif 000006
【図５】
0003157829.tif 000007
【図６】
0003157829.tif 000008
【図７】
0003157829.tif 000009
【図８】
0003157829.tif 000010
【図９】
0003157829.tif 000011
【図１０】
0003157829.tif 000012
(57)【要約】      （修正有）【課題】椅子に座った姿勢で臀部の後方及び左右に適度の圧力をかけ、理想的な姿勢をとることができるクッションを提供する。【解決手段】中心座部２の周囲に、前端が開放される略Ｕ字形状で中心座部２の肉厚よりも厚い周囲膨出部３を一体設すると共に、この周囲膨出部３を後端が肉厚で前端が肉薄として前端にかけて傾斜する構成とし、更に中心座部２の前端に肉厚な前端膨出部４を一体設した構成である。骨盤が周囲膨出部３によって後方及び左右から支持されて、背骨仮想線を垂直状態、骨盤仮想線を水平状態になるようにする。【選択図】図１
0003157889.tif 000002
【実用新案登録請求の範囲】
【請求項１】
中心座部（２）の周囲に、前端が開放される略Ｕ字形状で前記中心座部（２）の肉厚よりも厚い周囲膨出部（３）を一体設すると共に、該周囲膨出部（３）を後端が肉厚で前端が肉薄として前端にかけて傾斜する構成とし、更に前記中心座部（２）の前端に肉厚な前端膨出部（４）を一体設したことを特徴とするクッション。
【考案の詳細な説明】
【技術分野】
【０００１】
本考案は、椅子に腰かけての理想的な姿勢を維持できるようにするためのクッションに関するものである。
【背景技術】
【０００２】
椅子に腰かけて長時間にわたり机に向かっていたりすると、どうしても腰に負担がかかり、臀部が痛くなる現象がみられる。このため座布団を敷く等するのであるが、背骨が前かがみに曲がり猫背がちになってしまう。
【０００３】
図３（ａ）は、その状態を示すものであり、背骨仮想線Ａは後方に上昇傾斜し、骨盤仮想線Ｂは後方に下降傾斜してしまう。椅子に腰かけての理想的な姿勢は、図３（ｂ）に示すように、背骨仮想線Ａは垂直状態に、骨盤仮想線Ｂは水平状態になるのが望ましい。この姿勢を保つことにより、脊柱起立筋、腰腸助筋、背中筋等にかかる重力負担が軽減され、坐骨神経痛や腰痛症等の発症を未然に防ぐことができるのである。
【０００４】
この観点から、例えば以下の如き発明の提案がある。
【先行技術文献】
【特許文献】
【０００５】
【特許文献１】特開平８−１１７０６３号公報
【考案の概要】
【考案が解決しようとする課題】
【０００６】
この特許文献１の発明「座ぶとん」は、座ぶとんの中央後部を凸部にして、座った際に臀部の中心部分をこの凸部に乗せて上半身が若干の前傾姿勢となるように工夫されたものである。しかしながら、正座或いはあぐらの場合はその効果が得られるかもしれないが、椅子に座る姿勢では臀部が凸部を押し潰してしまい、理想の前傾姿勢を得ることはできない。
【０００７】
また、椅子に座った姿勢では単に前傾姿勢となるだけでは骨盤の歪みを防ぐことはできないのであって、臀部の後方及び左右から適度の圧力をかけることが重要であるが、特許文献１では、左右の座ぶとん部は押し拡がるだけであるので、左右からの圧力を得ることはできない。
【０００８】
よって本考案は、上述した従来技術の欠点、不都合、不満を解消するべく開発されたクッションであって、椅子に座った姿勢で臀部の後方及び左右に適度の圧力をかけ、理想的な姿勢をとることができるようにすることを目的とする。
【課題を解決するための手段】
【０００９】
上記課題を解決するため、本考案のクッションは、中心座部の周囲に、前端が開放される略Ｕ字形状で前記した中心座部の肉厚よりも厚い周囲膨出部を一体設すると共に、この周囲膨出部を後端が肉厚で前端が肉薄として前端にかけて傾斜する構成とし、更に前記した中心座部の前端に肉厚な前端膨出部を一体設したことを特徴とする。
【考案の効果】
【００１０】
上記した本考案にあって、椅子に座った姿勢で本考案のクッションを臀部に敷くと、周囲膨出部の後端は肉厚で前端に向かって肉薄として傾斜しているので臀部後方が持ち上がると共に太腿部分が前方に下降傾斜し、図３（ｂ）に示した背骨仮想線Ａが垂直状態、骨盤仮想線Ｂが水平状態に自ずとなるのである。
【００１１】
そしてこの場合、太腿の外側部分は周囲膨出部の両端部分によって適度の圧力を受け、両膝が外側方から押えられることになるため内腿の筋肉が意識し易くなり、骨盤を支える筋肉の筋力向上につながる。即ち、ここでは骨盤が周囲膨出部によって後方及び左右から支持されて、背骨仮想線Ａを垂直状態、骨盤仮想線Ｂを水平状態になるようになっているのである。
【００１２】
また、上記の着座姿勢で、臀部の中心部は中心座部に位置して臀部の周囲が周囲膨出部により支持されているのであるが、中心座部の前端には肉厚な前端膨出部が一体設されているので、この前端膨出部が太腿部全部を下方から支持することになり、長時間の着座姿勢をとっていても臀部が前方にずれてしまうことはなく、上記した理想的な姿勢を常に維持できる等、本考案は多くの優れた作用効果を奏する。
【図面の簡単な説明】
【００１３】
【図１】本考案にかかるクッションの一例を示す斜視図である。
【図２】図１のＸ−Ｘ線断面図である。
【図３】椅子に座った状態の説明図で、（ａ）は望ましくない姿勢、（ｂ）は本考案にかかるクッションを敷いた状態での理想的な姿勢を示すものである。
【図４】本考案にかかるクッションを敷いた状態の説明図であって、（ａ）は周囲周端部が骨盤に及ぼす圧力を示す平面的な略図、（ｂ）は周囲周端部が太腿部に及ぼす圧力を示す前方正面より見た略図である。
【考案を実施するための形態】
【００１４】
本考案のクッション１は、中心座部２の周囲に、前端が開放される略Ｕ字形状で中心座部２の肉厚よりも厚い周囲膨出部３を一体設すると共に、この周囲膨出部３を後端が肉厚で前端が肉薄として前端にかけて傾斜する構成とし、更に中心座部２の前端に肉厚な前端膨出部４を一体設した構成である。
【実施例】
【００１５】
中心座部２、前端膨出部４の夫々の内部にはポリエステルわたが詰め込まれ、周囲膨出部３の内部には弾力性を持たせるためにポリエチレンペレットとポリスチレン発泡ビーズとを混合させて詰め込まれてある。
【００１６】
被覆する布は、表面(臀部が接触する面)は感触の良い例えば綿生地が用いられるが、裏面(椅子上面に接触する面)は滑りにくい例えばスエード生地が用いられ、共に体重がかかっても伸び変形しないで原形状を維持できるように伸縮性のないものが選択される。また、中心座部２と前端膨出部４との間はステッチ５縫合で、使用経時による内部のポリエステルわたの偏りを防いでいる。
【００１７】
但し、表面と裏面の色彩、模様を変えることにより使用勝手の好みに応じて裏返し可能としても良い。周囲膨出部３の後端から前端にかけての傾斜角度は水平線に対して約８度であり、表面側と裏面側とは形状的には同一であるので、いずれの側でも使用できるのである。
【００１８】
図４（ａ）に示したように、周囲周端部３は骨盤の後方、左右に弾接して骨盤の骨盤仮想線Ｂを水平状態に支持すると共に背骨仮想線Ａを垂直状態に支持し、同（ｂ）に示すように左右の周囲周端部３が太腿部の側方に弾接して両膝が常に閉じるように支持し、同様に姿勢を維持する。
【符号の説明】
【００１９】
１  クッション
２  中心座部
３  周囲周端部
４  前端膨出部
５  ステッチ
【図１】
0003157889.tif 000003
【図２】
0003157889.tif 000004
【図３】
0003157889.tif 000005
【図４】
0003157889.tif 000006
(57)【要約】      （修正有）【課題】サイドフロートの取付け取外しを簡単に出来、安全性により優れた、ボート用の安全装置を提供する。【解決手段】サイドフロートとボート本体の左右舷側に取り付けられた取付レールからなる。サイドフロートには、取り付け用のレールに差込むことの出来るヒレ状部を有する。【選択図】図５
0003157695.tif 000002
【実用新案登録請求の範囲】
【請求項１】
サイドフロートとボート本体の左右舷側に取り付けられた取付レールからなるボート用の安全装置であって、サイドフロートには、取り付け用のレールに差込むことの出来るヒレ状部を有することを特徴とするボート用の安全装置。
【考案の詳細な説明】
【技術分野】
【０００１】
本考案は、サイドフロートとボート本体の左右舷側に取り付けられた取付レールからなるボート用の安全装置に関する。
【背景技術】
【０００２】
従来の、ハイパロンゴム等からなるインフレ−ダブル型サイドフロ−トについては、特許文献1および特許文献２に開示されている。それらの文献に記載の技術は、サイドフロートを船舷部に取付ける際の金具及びサイドフロ―トを取付けるための金具が多数あり、取付けが複雑で作業も時間がかかり、場合によっては運搬の際に金具を本体から取り外す必要がある、といった問題があるものであった。
【先行技術文献】
【特許文献】
【０００３】
【特許文献１】実用新案登録第３０９５７７６号公報
【特許文献２】実用新案登録第３１０９１４６号公報
【考案の概要】
【考案が解決しようとする課題】
【０００４】
本考案は、背景技術の有する前記問題点を解消し、サイドフロートの取付け取外しを簡単に出来、安全性により優れた、ボート用の安全装置の提供を目的とするものである。
【課題を解決するための手段】
【０００５】
本考案は、サイドフロートとボート本体の左右舷側に取り付けられた取付レールからなるボート用の安全装置において、サイドフロートに、取り付け用のレールに差込むことの出来るヒレ状部を設けることを主たる特徴とする。
【０００６】
また、サイドフロートの取付け金具(レール)は、船体の舷側に密接して取付け固定する。
さらに、船体のヘリの４箇所に取付け用固定フックを取付け、サイドフロートに装備されている2ケのU字フック付ベルト部を取付け用固定フックに引っ掛けるようにする。
【考案の効果】
【０００７】
サイドフロートの取付け部がヒレ状部になっており、取付け用レールの側面から差込みスライドさせながら簡単に取付けや取外しが可能となる。
【０００８】
また、サイドフロートの取付け金具(レール)を船体の舷側に密接して取付け固定するため、船の運搬時にサイドフロートの取外しの他に取付け用の金具を取り外す必要がなく、運搬の際もサイドフロートのみ取外すことで航行後の運搬の際も手間がなくなる。
【０００９】
さらに、船体のヘリの４箇所に取付け用固定フックを取付け、サイドフロートに装備されている2ケのU字フック付ベルト部を取付け用固定フックに引っ掛けることにより、落下防止となる。
【図面の簡単な説明】
【００１０】
【図１】本考案の安全装置を取り付けた船体の断面図である。
【図２】取り付けレールの側面図である。
【図３】取り付けレールの取り付け状態を示す概略説明図である。
【図４】サイドフロートの側面図である。
【図５】サイドフロートの正面図である。
【図６】サイドフロートの取り付け矢端部側面図である。
【図７】サイドフロートの取り付け矢端部正面図である。
【図８】取り付け固定フックを示す図である。
【図９】サイドフロートの取り付けU字フック付きベルト部の側面図である。
【図１０】固定フックの取り付け状態を示す概略図である。
【図１１】取り付け状態を示す概略説明図である。
【図１２】取り付け状態を示す概略説明正面図である。
【図１３】取り付け状態を示す概略説明側面図である。
【図１４】取り付け状態を示す概略説明上面図である。
【考案を実施するための形態】
【００１１】
以下、図面に基づいて、本考案の実施例を説明する。
【実施例】
【００１２】
図１は本考案の安全装置を取り付けるボートの断面図であり、ボート本体の左右舷側に取付レール１が取り付けられている。図４に示すサイドフロート３は、ボート本体の左右舷側に取り付けられた取付レール１に差込むことの出来るヒレ状部を有する。サイドフロート３を取付ける部位の舷側面に当接可能にするため、サイドフロート３を取り付けるための、図２に示すステンレス製の取り付けレールを左右の船舷面に図１や図３にあるように、図２の２のように取付け部品(ビス＋ボルト＋ナット＋ワッシャー)を計４箇所の取付け穴より、左右の船舷面に図1の１の開口部が下向きになるように取付け固定する。
【００１３】
サイドフロート３は、充填して膨らませた状態にし、図１のステンレスレールにサイドフロートに図４の４と4−aのヒレ状部部分を図３のように左右の船舷面に取付けした取付け用レールにレール１の開口部側面からヒレ上部の先端４ａを差込み、スライドさせながら取付ける。
【００１４】
さらに、サイドフロートの落下防止のため、図８の取付け固定フックを船のヘリに４箇所にビスで固定し、図１０のようにサイドフロートに２箇所ある取り付けU字フック付きベルト部６を図7のように取り付け固定フックへ計４箇所引っ掛ける。そのことにより、航行中の落下防止にもなる。
【産業上の利用可能性】
【００１５】
本考案によれば、製作が容易であり、かつ取付けが簡単な安全装置を提供することができ、作業時間の短縮も図ることができるものであり、より安全で、使い易いボートの安全装置を提供する。
【符号の説明】
【００１６】
１：  サイドフロート取付け用ステンレス製レール
２：  取付け金具（ステンレス製レール）を固定する部品  （ビス＋ボルト＋ナット＋ワッシャー）
３：  サイドフロート
４：  サイドフロート取付けヒレ状部
４ａ：サイドフロート取付けヒレ状部の先端部(円状)
５：取り付け固定フック
６：サイドフロート  取り付けU字フック付きベルト部
７：固定フック取り付け状態を示すサイドフロート  取り付けU字フック
【図１】
0003157695.tif 000003
【図２】
0003157695.tif 000004
【図３】
0003157695.tif 000005
【図４】
0003157695.tif 000006
【図５】
0003157695.tif 000007
【図６】
0003157695.tif 000008
【図７】
0003157695.tif 000009
【図８】
0003157695.tif 000010
【図９】
0003157695.tif 000011
【図１０】
0003157695.tif 000012
【図１１】
0003157695.tif 000013
【図１２】
0003157695.tif 000014
【図１３】
0003157695.tif 000015
【図１４】
0003157695.tif 000016
(57)【要約】      （修正有）【課題】防寒、日除けなどの目的にも使用でき、小物や貴重品等の常時携帯を可能とするスポーツタオルを提供する。【解決手段】タオル本体１の一辺概略中央部にフードを設けるとともに、前記タオル本体の前記フードを取り付けた辺の両端部近傍にポケット４を設け、フード部分２及びボタン３、ボタン穴を設ける事で日除け、防寒を可能にし、且つ、貴重品、小物等の携帯を可能にする。【選択図】図１
0003157667.tif 000002
【実用新案登録請求の範囲】
【請求項１】
タオル本体の一辺概略中央部にフードを設けるとともに、前記タオル本体の前記フードを取り付けた辺の両端部近傍にポケットを設け、前記フードを取り付けた辺の前記ポケット近傍に設けたボタン及びボタン穴を設けた事を特徴とするフード及びポケット付きスポーツタオル
【考案の詳細な説明】
【技術分野】
【０００１】
本考案は、フード及びポケット付きスポーツタオルに関する。特にタオル本来の目的に使用可能である事に加え、フードを付ける事によって防寒、日除けなどの目的にも使用でき、且つポケットをつける事によって小物や貴重品等の常時携帯を可能とするフード及びポケット付きスポーツタオルに関する。
【背景技術】
【０００２】
一般にスポーツタオルやバスタオルのような大型のタオルでは、身体に付着した汗や水などの水分を拭いたり、頭から頭巾のように被り日除けや身体の保温等に使用する事がある。
（例えば特許文献  実用昭57-129715号、実用昭57-172018号、実願平8-8738号）
以下、従来のフード及びポケット付きスポーツタオルについて説明する。
【０００３】
実開昭57ー129715号公報には、四角形の保温布地の周縁部に雌雄対をなす止め具を設け、保温布地の上辺中央部を頭に被って止め具で止め付けることにより、この保温布地を頭巾状にして防寒のために使用したり、保温布地の左右の対辺に設けた止め具同士を係止して袖をつくり、この袖部分に腕を通して使用することが記載されている。
【０００４】
実開昭57ー172018号公報では、四角形に形成された布地の左右の対辺に設けた止め具同士を係止して袖をつくり、この袖部分に腕を通し、この時に布地の上辺中央部に設けた別の止め具同士を係止して首回りも狭く閉じることができるようにした防寒衣が開示されている。
【０００５】
実願平8ー8738号公報では、タオル生地からなる四角形のタオル本体の上辺左右中央部に着脱自在のフードを取り付け、タオル本体を肩にかけて羽織った状態において、前で止めることができ、手を通す筒袖をつくることもできることが記載されている。
【先行技術文献】
【特許文献】
【０００６】
【特許文献１】実用昭57-129715号
【特許文献２】実用昭57-172018号
【特許文献３】実用新案登録3034517号
【考案の概要】
【考案が解決しようとする課題】
【０００７】
従来の技術では防寒、日除けなどの目的には使用に問題ないが、小物、貴重品の携帯に関しての対策がなされていない。
【課題を解決するための手段】
【０００８】
本考案はタオル本体の一辺概略中央部にフードを設けるとともに、前記タオル本体の前記フードを取り付けた辺の両端部近傍にポケットを設け、前記フードを取り付けた辺の前記ポケット近傍に設けたボタン及びボタン穴を設けた事を特徴とするフード及びポケット付きスポーツタオルである。
【考案の効果】
【０００９】
上述のように、本考案のフード及びポケット付きスポーツタオルはタオル本体の縦幅を狭くする事により着衣時に前面のボタン3とボタン穴5で前で止めても不自由なく大きな動作を行えるようにし、且つタオル本体にポケットを取り付けることにより着衣の少ない状態でも例えば携帯電話や財布などの貴重品、小物等を常時携帯できるようにしている。
【図面の簡単な説明】
【００１０】
【図１】本タオルの着用例を示す正面図である。
【図２】本タオルの着用例を示す背面図である。
【図３】本タオルの着用例を示す側面図である。
【図４】本タオルの全体正面図である。
【図５】本タオルの全体背面図である。
【考案を実施するための形態】
【００１１】
タオル本体正面部が身体に接するように肩からかけ、タオル本体背面部の上辺左右中央部に配置したボタンとボタン穴で身体の正面で止める。又、タオル本体上辺中央部に設けたフードを頭に被ることが可能。また、タオル本体の背面部左右両端に設けたポケットにより、貴重品、小物等の常時携帯が可能である。
【００１２】
以下、添付図面に従って一実施例を説明する。1は吸水性が高く肌触りの良いオーガニック素材のタオル生地にて形成された本体、2は主に日除けの為にタオル本体上辺中央部に設けたフードで、タオル本体と同じ素材を使用しており、タオル本体を肩に羽織った状態で頭に頭巾のように被る（図1、2、3参照）。
【００１３】
4は財布や携帯電話等の小物、貴重品等を収納するためにタオル本体背面部の左右両端に2つずつ設けたポケットで、前記フードと同様にタオル本体と同じ素材を使用している。3、5は着衣時に身体を動かしてもタオル本体が肩から落ちないようにする為にタオル本体の上辺左右中央部に設けたボタンとボタン穴で、着衣時に身体の正面でとめる（図1参照）。
【符号の説明】
【００１４】
1  タオル本体
2  フード
3  ボタン
4  ポケット
5  ボタン穴
【図１】
0003157667.tif 000003
【図２】
0003157667.tif 000004
【図３】
0003157667.tif 000005
【図４】
0003157667.tif 000006
【図５】
0003157667.tif 000007